(57)【要約】      （修正有）【課題】緩衝材を用いることなく、異なるサイズの物品をフレキシブルに収容し、安定状態で収容する。【解決手段】包装用容器１０は、底板と、底板に第１折曲線２１を介して連設された第１天板１５と、底板に第２折曲線２２を介して連設された第２天板部１６と、第１天板部１５から底板を経て第２天板部１６にかけて形成された一対の第３折曲線２３，２３と、底板と第１天板部１５とに形成された第４折曲線２４及び第５折曲線２５と、底板と第２天板部１６とに形成された第６折曲線２６及び第７折曲線２７とを備える。底板には係止片３５が連設され、第１天板部１５と第２天板部１６には、互いに連通する切欠部からなる係止溝４０が形成されている。【選択図】図１Ａ
2018027803.tif 000002
【特許請求の範囲】
【請求項１】
底板と、
前記底板の一側に第１折曲線を介して連設され、前記底板の一面側に折り曲げられている第１天板部と、
前記底板の前記一側と反対側の他側に第２折曲線を介して連設され、前記底板の前記一面側に折り曲げられるとともに、先端が前記第１天板部の先端に重ねて配置されている第２天板部と、
前記第１天板部から前記底板を経て前記第２天板部にかけて形成され、前記第１折曲線と前記第２折曲線に交差するように延びる一対の第３折曲線と、
前記底板と前記第１天板部とに形成され、前記一対の第３折曲線のうち一方から他方にかけて前記第１折曲線に沿って延びる第４折曲線と、
前記底板と前記第１天板部とに形成され、前記第３折曲線と前記第４折曲線との交点から前記第１折曲線の端に向けて延びる第５折曲線と、
前記底板と前記第２天板部とに形成され、前記一対の第３折曲線のうち一方から他方にかけて前記第２折曲線に沿って延びる第６折曲線と、
前記底板と前記第２天板部とに形成され、前記第３折曲線と前記第６折曲線との交点から前記第２折曲線の端に向けて延びる第７折曲線と、
前記底板における前記第３折曲線に沿って延びる端縁に連設された係止片と、
前記第１天板部と前記第２天板部にそれぞれに設けられた互いに連通する切欠部からなり、前記係止片を係止する係止溝と
を備える、包装用容器。
【請求項２】
前記底板に形成された前記第４折曲線から前記第１折曲線までの間隔、
前記第１天板部に形成された前記第４折曲線から前記第１折曲線までの間隔、
前記底板に形成された前記第６折曲線から前記第２折曲線までの間隔、
及び前記第２天板部に形成された前記第６折曲線から前記第２折曲線までの間隔は、
全て同一である、請求項１に記載の包装用容器。
【請求項３】
前記係止片には、前記係止溝の縁から前記第１天板部上又は前記第２天板部上へ突出する突部が形成されている、請求項１又は２に記載の包装用容器。
【請求項４】
前記係止片は、前記底板の対向する前記端縁にそれぞれ形成され、
前記係止溝を構成する前記切欠部は、前記第１天板部と前記第２天板部の対向する端縁にそれぞれ形成されている、請求項１から３のいずれか１項に記載の包装用容器。
【請求項５】
前記底板は、前記第３折曲線に沿って延びる第８折曲線を介して底縁板を有し、
前記第１天板部と前記第２天板部は、前記第３折曲線に沿って延びる第９折曲線を介して天縁板をそれぞれ有し、
前記底縁板と前記天縁板とが重ね合わせて配置されている、請求項１から４のいずれか１項に記載の包装用容器。
【請求項６】
底板と、
前記底板の一側に第１折曲線を介して連設されている第１天板部と、
前記底板の前記一側と反対側の他側に第２折曲線を介して連設されている第２天板部と、
前記第１天板部から前記底板を経て前記第２天板部にかけて形成され、前記第１折曲線と前記第２折曲線に交差するように延びる一対の第３折曲線と、
前記底板と前記第１天板部とに形成され、前記一対の第３折曲線のうち一方から他方にかけて前記第１折曲線に沿って延びる第４折曲線と、
前記底板と前記第１天板部とに形成され、前記第３折曲線と前記第４折曲線との交点から前記第１折曲線の端に向けて延びる第５折曲線と、
前記底板と前記第２天板部とに形成され、前記一対の第３折曲線のうち一方から他方にかけて前記第２折曲線に沿って延びる第６折曲線と、
前記底板と前記第２天板部とに形成され、前記第３折曲線と前記第６折曲線との交点から前記第２折曲線の端に向けて延びる第７折曲線と
前記底板における前記第３折曲線に沿って延びる端縁に連設された係止片と、
前記第１天板部と前記第２天板部にそれぞれ設けられ、前記係止片を係止する係止溝を構成する切欠部とを備え、
前記第１天板部における前記第１折曲線から先端までの全長と、前記第２天板部における前記第２折曲線から先端までの全長とを合わせた寸法は、前記底板における前記第１折曲線から前記第２折曲線までの寸法よりも長く設定されている、包装用容器のブランク。
【発明の詳細な説明】
【技術分野】
【０００１】
本発明は、包装用容器、及び包装用容器のブランクに関する。
【背景技術】
【０００２】
特許文献１には、底板の一側に第１天板部を連設するとともに、底板の他側に第２天板部を連設した包装用容器が開示されている。この包装用容器には、底板と第１天板部との間、及び底板と第２天板部との間に、平行に延びる一対の第１折曲線と、第１折曲線の端から傾斜して延びる４本の第２折曲線とが形成されている。また、底板の端縁と、第１天板部及び第２天板部の端縁には、互いに係合可能な係止片と係止溝とが形成されている。
【先行技術文献】
【特許文献】
【０００３】
【特許文献１】米国特許第５０９４３８５号明細書
【発明の概要】
【発明が解決しようとする課題】
【０００４】
しかしながら、特許文献１の包装用容器は、サイズ（厚さ）が異なる物品を収容することについて、何ら考慮されていない。即ち、この包装用容器は、一対の第１折曲線のうち一方から他方までの間隔が物品の収容空間になっている。そのため、この間隔よりも厚さが薄い物品を収容する場合、隙間を埋めるための緩衝材を物品と一緒に収容する必要がある。
【０００５】
本発明は、緩衝材を用いることなく、異なるサイズの物品をフレキシブルに収容し、安定状態で収容することを課題とする。
【課題を解決するための手段】
【０００６】
本発明の第１の態様は、底板と、前記底板の一側に第１折曲線を介して連設され、前記底板の一面側に折り曲げられている第１天板部と、前記底板の前記一側と反対側の他側に第２折曲線を介して連設され、前記底板の前記一面側に折り曲げられるとともに、先端が前記第１天板部の先端に重ねて配置されている第２天板部と、前記第１天板部から前記底板を経て前記第２天板部にかけて形成され、前記第１折曲線と前記第２折曲線に交差するように延びる一対の第３折曲線と、前記底板と前記第１天板部とに形成され、前記一対の第３折曲線のうち一方から他方にかけて前記第１折曲線に沿って延びる第４折曲線と、前記底板と前記第１天板部とに形成され、前記第３折曲線と前記第４折曲線との交点から前記第１折曲線の端に向けて延びる第５折曲線と、前記底板と前記第２天板部とに形成され、前記一対の第３折曲線のうち一方から他方にかけて前記第２折曲線に沿って延びる第６折曲線と、前記底板と前記第２天板部とに形成され、前記第３折曲線と前記第６折曲線との交点から前記第２折曲線の端に向けて延びる第７折曲線と、前記底板における前記第３折曲線に沿って延びる端縁に連設された係止片と、前記第１天板部と前記第２天板部にそれぞれに設けられた互いに連通する切欠部からなり、前記係止片を係止する係止溝とを備える、包装用容器を提供する。
【０００７】
この包装用容器によれば、底板と第１天板部との間の第１折曲線の両側に第４折曲線が形成され、底板と第２天板部との間の第２折曲線の両側に第６折曲線が形成されている。そのため、底板と第１天板部との間隔と、底板と第２天板部との間隔とは、内部に収容する物品のサイズ（厚さ）に応じて、フレキシブルに変位できる。また、第１天板部と第２天板部の重ね代は、底板に対する第１天板部と第２天板部の間隔が物品に応じて変位しても、変わることはない。
【０００８】
そのため、この包装用容器では、緩衝材等の詰め物を用いることなく、異なるサイズの物品を安定状態で収容できる。よって、この包装用容器は、様々なサイズの商品を取り扱っている通信販売会社の使用に好適である。また、包装用容器は、係止片を一対の切欠部からなる係止溝に係止することで、封緘状態が保持されるため、加工費が嵩む貼付加工は不要であるうえ、材料費が嵩むつけ代の増設は不要である。しかも、この包装用容器は、底板に係止片が形成され、第１天板部と第２天板部に係止溝が形成されているため、封緘する際の作業性を向上できる。特に、大きな係止片と係止溝を形成できるため、封緘状態を維持する係止力も大きくすることが可能である。
【０００９】
前記底板に形成された前記第４折曲線から前記第１折曲線までの間隔、前記第１天板部に形成された前記第４折曲線から前記第１折曲線までの間隔、前記底板に形成された前記第６折曲線から前記第２折曲線までの間隔、及び前記第２天板部に形成された前記第６折曲線から前記第２折曲線までの間隔は、全て同一であることが好ましい。この態様によれば、底板に対する第１天板部と第２天板部の間隔が、物品のサイズに応じて変位しても、第１天板部と第２天板部の重ね代が変わることはないため、物品を安定状態で確実に収容できる。
【００１０】
前記係止片には、前記係止溝の縁から前記第１天板部上又は前記第２天板部上へ突出する突部が形成されていてもよい。この態様によれば、係止溝に対する係止片の係止力を更に大きくすることができる。
【００１１】
前記係止片は、前記底板の対向する前記端縁にそれぞれ形成され、前記係止溝を構成する前記切欠部は、前記第１天板部と前記第２天板部の対向する端縁にそれぞれ形成されていてもよい。この態様によれば、内部に収容した物品が脱落することを防止できる。特に、係止片に突部を設ける構成とすれば、一対の係止片のうち一方から他方にかけて粘着テープを貼着して封緘した際、突部を摘まんで係止片を破断することで、粘着テープを剥がす操作部として使用できる。よって、包装用容器の封緘性の向上だけでなく、包装用容器の開封作業性も向上できる。
【００１２】
前記底板は、前記第３折曲線に沿って延びる第８折曲線を介して底縁板を有し、前記第１天板部と前記第２天板部は、前記第３折曲線に沿って延びる第９折曲線を介して天縁板をそれぞれ有し、前記底縁板と前記天縁板とが重ね合わせて配置されていてもよい。この態様によれば、収容した物品を脱落させることなく、確実に封緘することができる。
【００１３】
本発明の第２の態様は、底板と、前記底板の一側に第１折曲線を介して連設されている第１天板部と、前記底板の前記一側と反対側の他側に第２折曲線を介して連設されている第２天板部と、前記第１天板部から前記底板を経て前記第２天板部にかけて形成され、前記第１折曲線と前記第２折曲線に交差するように延びる一対の第３折曲線と、前記底板と前記第１天板部とに形成され、前記一対の第３折曲線のうち一方から他方にかけて前記第１折曲線に沿って延びる第４折曲線と、前記底板と前記第１天板部とに形成され、前記第３折曲線と前記第４折曲線との交点から前記第１折曲線の端に向けて延びる第５折曲線と、前記底板と前記第２天板部とに形成され、前記一対の第３折曲線のうち一方から他方にかけて前記第２折曲線に沿って延びる第６折曲線と、前記底板と前記第２天板部とに形成され、前記第３折曲線と前記第６折曲線との交点から前記第２折曲線の端に向けて延びる第７折曲線と前記底板における前記第３折曲線に沿って延びる端縁に連設された係止片と、前記第１天板部と前記第２天板部にそれぞれ設けられ、前記係止片を係止する係止溝を構成する切欠部とを備え、前記第１天板部における前記第１折曲線から先端までの全長と、前記第２天板部における前記第２折曲線から先端までの全長とを合わせた寸法は、前記底板における前記第１折曲線から前記第２折曲線までの寸法よりも長く設定されている、包装用容器のブランクを提供する。
【発明の効果】
【００１４】
本発明では、底板と第１天板部との間に第１折曲線と一対の第４折曲線とが形成され、底板と第２天板部との間に第２折曲線と一対の第６折曲線とが形成されている。そのため、底板に対する第１天板部と第２天板部の間隔は、物品のサイズに応じてフレキシブルに変位できる。また、第１天板部と第２天板部の重ね代は、底板に対する第１天板部と第２天板部の間隔が物品に応じて変位しても、変わることはない。よって、緩衝材等の詰め物を用いることなく、包装用容器に異なるサイズの物品を安定状態で収容できる。
【図面の簡単な説明】
【００１５】
【図１Ａ】本実施形態の包装用容器の上方斜視図。
【図１Ｂ】包装用容器の下方斜視図。
【図２Ａ】包装用容器の正面図。
【図２Ｂ】包装用容器の背面図。
【図２Ｃ】包装用容器の平面図。
【図２Ｄ】包装用容器の底面図。
【図２Ｅ】包装用容器の左側面図。
【図３Ａ】図１ＡのＩ−Ｉ線断面図。
【図３Ｂ】図１ＡのII−II線断面図。
【図４Ａ】包装用容器のブランクの正面図。
【図４Ｂ】包装用容器のブランクの背面図。
【図４Ｃ】包装用容器のブランクの平面図。
【図４Ｄ】包装用容器のブランクの左側面図。
【図５Ａ】物品を収容する一工程を示す斜視図。
【図５Ｂ】物品を収容する他の一工程を示す斜視図。
【図６】包装用容器の封緘状態を示す斜視図。
【図７】包装用容器の開封時の一工程を示す斜視図。
【図８Ａ】厚い物品を収容した包装用容器の上方斜視図。
【図８Ｂ】図８Ａの包装用容器の下方斜視図。
【図９Ａ】図８ＡのIII−III線断面図。
【図９Ｂ】図８ＡのIV−IV線断面図。
【図１０】包装用容器の変形例を示す斜視図。
【発明を実施するための形態】
【００１６】
以下、本発明の実施の形態を図面に従って説明する。
【００１７】
図１Ａから図３Ｂは、本実施形態に係る包装用容器（以下「容器」と略す。）１０を示し、図４Ａから図４Ｄは、容器１０のブランク１を示す。容器１０は、底板１２と、第１天板部１５と第２天板部１６とからなる天板１４とを備え、一枚のブランク１を折り曲げることで形成されている。本実施形態の容器１０は、底板１２と天板１４との間隔を弾性的に調整可能とすることで、緩衝材を用いることなく、異なるサイズの物品を安定状態で収容可能としている。
【００１８】
容器１０は、紙製の段ボールシートからなり、周知の紙器打抜装置によって図４Ａから図４Ｄに示す一枚のブランク１として形成される。段ボールシートは、外面側に位置する表ライナと、内面側に位置する裏ライナの間に、波状の中しんを配設した構成である。図４Ｂ中の細い実線は、肉厚を圧縮するように裏ライナの方から罫を入れて形成した汎用罫線である。また、図４Ｂ中の太実線は、裏ライナから表ライナにかけて刃を貫通させて形成した切断線である。図４Ａを参照すると、汎用罫線は表ライナの方には現れず、切断線は表ライナの方にも現れている。なお、ブランク１の底面図は図４Ｃに示す平面図と同一に現れ、ブランク１の右側面図は図４Ｄに示す左側面図と同一に現れる。
【００１９】
図１Ａから図３Ｂと、図８Ａから図９Ｂを参照すると、容器１０は、それぞれ長方形状の底板１２と天板１４とを備えている。底板１２と天板１４の外周部には、それぞれ厚さ調整部１８，１９と膨張規制部２０とが形成されている。これら厚さ調整部１８，１９と膨張規制部２０とで、底板１２と天板１４との間隔が調整可能になっている。なお、図１Ａから図３Ｂは、第１物品を収容した容器１０を示し、図８Ａから図９Ｂは、第１物品よりも肉厚が厚い第２物品を収容した容器１０を示す。容器１０の右側面図は、図２Ｅに示す左側面図と対称に現れる。
【００２０】
詳しくは、底板１２の一側には、汎用罫線からなる第１折曲線２１を介して長方形状の第１天板部１５が連設されている。第１天板部１５は、底板１２の裏ライナ（一面）の方に位置するように、第１折曲線２１に沿って折り曲げられている。また、底板１２には、第１折曲線２１と反対側に位置する他側に、汎用罫線からなる第２折曲線２２を介して長方形状の第２天板部１６が連設されている。第２天板部１６は、第１天板部１５と同様に、底板１２の裏ライナの方に位置するように、第２折曲線２２に沿って折り曲げられている。
【００２１】
図４Ｂを参照すると、底板１２における第１折曲線２１から第２折曲線２２までの全長（寸法）はＬ１である。第１天板部１５における第１折曲線２１から先端１５ａまでの全長はＬ２である。第２天板部１６における第２折曲線２２から先端１６ａまでの全長はＬ３である。第１天板部１５の全長Ｌ２と第２天板部１６の全長Ｌ３を合わせた寸法（Ｌ２＋Ｌ３）は、底板１２の全長Ｌ１よりも長い。これにより図３Ａと図３Ｂ、図９Ａと図９Ｂに最も明瞭に示すように、第１天板部１５の先端１５ａと第２天板部１６の先端１６ａとは、上下に重ねて配置されている。本実施形態では、第１天板部１５の全長Ｌ２と第２天板部１６の全長Ｌ３とは同一であるが、異なるようにしてもよい。
【００２２】
容器１０には、第１折曲線２１と第２折曲線２２に対して直交する方向に延びる一対の第３折曲線２３，２３が形成されている。第３折曲線２３は汎用罫線からなり、第１天板部１５の先端１５ａから底板１２を経て第２天板部１６の先端１６ａにかけて設けられている。但し、第３折曲線２３，２３の端は、第１天板部１５と第２天板部１６において、先端１５ａ，１６ａから定められた間隔をあけた部分に位置させてもよい。一対の第３折曲線２３，２３はそれぞれ、第１折曲線２１と第２折曲線２２に対して直交方向に延びる底板１２の縁から定められた間隔をあけた位置に形成されている。また、容器１０には、汎用罫線からなる第４から第７の折曲線２４〜２７が更に形成されている。
【００２３】
第４折曲線２４と第５折曲線２５は、底板１２と第１天板部１５にそれぞれ形成されている。第４折曲線２４は、一対の第３折曲線２３，２３のうち一方から他方にかけて、第１折曲線２１に沿って平行に延びている。第５折曲線２５は、第３折曲線２３と第４折曲線２４との交点から、第１折曲線２１の端に向けて延びている。底板１２に形成された第５折曲線２５と、第１天板部１５に形成された第５折曲線２５とは、第１折曲線２１上で交差している。
【００２４】
第６折曲線２６と第７折曲線２７は、底板１２と第２天板部１６にそれぞれ形成されている。第６折曲線２６は、一対の第３折曲線２３，２３のうち一方から他方にかけて、第２折曲線２２に沿って平行に延びている。第７折曲線２７は、第３折曲線２３と第６折曲線２６との交点から、第２折曲線２２の端に向けて延びている。底板１２に形成された第６折曲線２６と、第２天板部１６に形成された第６折曲線２６とは、第２折曲線２２上で交差している。
【００２５】
底板１２と第１天板部１５には、第１折曲線２１、第３折曲線２３、及び第４折曲線２４により、長方形状の第１厚さ調整部１８がそれぞれ形成されている。底板１２と第２天板部１６には、第２折曲線２２、第３折曲線２３、及び第６折曲線２６により、長方形状の第１厚さ調整部１８がそれぞれ形成されている。
【００２６】
底板１２の両端には、第３折曲線２３、及び第５折曲線２５により、台形状の第２厚さ調整部１９がそれぞれ形成されている。第１天板部１５の両端には、第３折曲線２３、及び第５折曲線２５より、直角台形状の第２厚さ調整部１９’がそれぞれ形成されている。第２天板部１６の両端には、第３折曲線２３、及び第７折曲線２７により、直角台形状の第２厚さ調整部１９’がそれぞれ形成されている。そして、一対の第２厚さ調整部１９’，１９’により、台形状をなす１枚の第２厚さ調整部１９が構成されている。
【００２７】
底板１２と第１天板部１５には、第１折曲線２１、第３折曲線２３、及び第５折曲線２５により、三角形状の膨張規制部２０がそれぞれ形成されている。底板１２と第２天板部１６には、第２折曲線２２、第３折曲線２３、及び第７折曲線２７により、三角形状の膨張規制部２０がそれぞれ形成されている。
【００２８】
図４Ｂを参照すると、底板１２に形成された第４折曲線２４から第１折曲線２１までの間隔はｉ１である。第１天板部１５に形成された第４折曲線２４から第１折曲線２１までの間隔はｉ２である。底板１２に形成された第６折曲線２６から第２折曲線２２までの間隔はｉ３である。第２天板部１６に形成された第６折曲線２６から第２折曲線２２までの間隔はｉ４である。これらの間隔ｉ１〜ｉ４は、４面の第１厚さ調整部１８の横幅に相当しており、全て同一に設定されている。
【００２９】
底板１２と天板１４に形成された厚さ調整部１８，１９により、底板１２と天板１４との間隔は、近接及び離反する方向に変位可能である。また、底板１２と天板１４の間隔が変位しても、第１天板部１５と第２天板部１６の重ね代は変わらない。また、底板１２、第１天板部１５、及び第２天板部１６に形成された膨張規制部２０により、底板１２と天板１４とが近接する方向へ弾性的に復元する力を付与できる。
【００３０】
底板１２は、汎用罫線からなる第８折曲線２９を介して形成された底縁板３０を備えている。また、第１天板部１５と第２天板部１６とは、汎用罫線からなる第９折曲線３２を介して形成された天縁板３３，３３をそれぞれ備えている。第８折曲線２９と第９折曲線３２は、第３折曲線２３に沿って平行に延び、第１折曲線２１と第２折曲線２２に対して直交する方向に延びている。また、第８折曲線２９と第９折曲線３２とは、一対の第５折曲線２５，２５の交点と、一対の第７折曲線２７，２７の交点を通るように形成されるとともに、同一直線上に位置するように形成されている。このように形成された底縁板３０と天縁板３３とは、互いに重ね合わせて配置されている。
【００３１】
底板１２には係止片３５が連設され、天板１４には係止片３５を係止する係止溝４０が形成されている。係止片３５は、底板１２における底縁板３０を連設した対向する端縁にそれぞれ形成されている。係止溝４０は、第１天板部１５と第２天板部１６において係止片３５と対応する天縁板３３にそれぞれ形成した切欠部４１からなる。
【００３２】
係止片３５は、底板１２の端縁中央に位置するように、破断線３６を介して連設されている。破断線３６は、第８折曲線２９に沿って底板１２から係止片３５を分離するものである。破断線３６は、第８折曲線２９に沿って間隔をあけてミシン目状に形成した第１切断線３６ａと、第１切断線３６ａの一端から外向きに傾斜して延びる第２切断線３６ｂとを備える片ジッパーからなる。
【００３３】
図６Ａを参照すると、本実施形態では、係止片３５における破断線３６の延び方向の寸法である幅は、汎用の粘着テープＡＴの幅（概ね５cm）よりも大きく形成されている。また、係止片３５には、汎用罫線からなる折曲線３７を介して半円形状の突部３８が設けられている。この突部３８は、第１天板部１５上へ突出するように、破断線３６の第２切断線３６ｂが延びる方向における係止片３５の端に形成されている。
【００３４】
図５Ｂも併せて参照すると、切欠部４１は、天板１４の端部中央に位置するように、天縁板３３，３３における第１天板部１５と第２天板部１６の先端１５ａ，１６ａ側端縁にそれぞれ形成されている。第１天板部１５の切欠部４１と第２天板部１６の切欠部４１とは、互いに連通することで１個の係止溝４０を構成する。係止溝４０における第９折曲線３２の延び方向の寸法である幅は、係止片３５における破断線３６を形成した基部の幅よりも若干小さく形成されている。これにより係止片３５を係止溝４０に係止することで、係止片３５の縁と係止溝４０の縁が互いに圧接することで、係止状態が保持される。
【００３５】
第１天板部１５の先端１５ａと第２天板部１６の先端１６ａには、互いに噛み合う切欠溝４２が設けられている。この切欠溝４２は第３折曲線２３の端に形成されている。第１天板部１５の切欠溝４２と第２天板部１６の切欠溝４２を噛み合わせることで、第１天板部１５の先端１５ａと第２天板部１６の先端１６ａのうち、一方を外面側に配置するとともに、他方を内面側に配置できる。図１Ａから図３Ｂでは、一対の第３折曲線２３，２３間においては、第１天板部１５が外側に位置するとともに、第２天板部１６が内側に位置している。第３折曲線２３と第９折曲線３２との間においては、第１天板部１５が内側に位置するとともに、第２天板部１６が外側に位置している。
【００３６】
次に、容器１０に物品を収容する手順について説明する。なお、図１Ａから図３Ｂに示す肉厚が薄い第１物品を容器１０に収容する手順と、図８Ａから図９Ｂに示す肉厚が厚い第２物品を容器１０に収容する手順とは、同じである。
【００３７】
まず、図４Ｂに示すように、ブランク１の裏ライナ側を上に向けた状態にして、底板１２上に物品を載せる。ついで、図５Ａに示すように、底板１２に対して第１天板部１５を第１折曲線２１に沿って折り曲げるとともに、底板１２に対して第２天板部１６を第２折曲線２２に沿って折り曲げる。ついで、図５Ｂに示すように、第１天板部１５の切欠溝４２と第２天板部１６の切欠溝４２とを噛み合わせる。そして、第１天板部１５の先端１５ａと第２天板部１６の先端１６ａのうち、第３折曲線２３，２３間で一方を外側に配置し、第３折曲線２３と第９折曲線３２間で他方を外側に配置する。
【００３８】
すると、図３Ａと図３Ｂ、そして図９Ａと図９Ｂに示すように、厚さ調整部１８，１９によって、底板１２と天板１４との間には物品の厚さに応じた隙間（間隔）が形成される。また、膨張規制部２０によって、物品の下側に底板１２が圧接され、物品の上側に天板１４が圧接される。図１Ａと図１Ｂ、そして図８Ａと図８Ｂに示すように、底板１２は、第３折曲線２３、第４折曲線２４、第５折曲線２５、第６折曲線２６、及び第８折曲線２９に沿って折れ曲がる。また、天板１４は、第３折曲線２３、第４折曲線２４、第５折曲線２５、第６折曲線２６、及び第９折曲線３２に沿って折れ曲がる。また、第１天板部１５と第２天板部１６の結合によって、切欠部４１，４１が連通し、天板１４の両端に係止溝４０がそれぞれ形成される。
【００３９】
ついで、図１Ａから図３Ｂと、図８Ａから図９Ｂに示すように、底板１２に対して係止片３５を破断線３６に沿って折り曲げ、係止片３５を係止溝４０に係止する。これにより、物品は、容器１０から脱落しないように、容器１０内に収容される。
【００４０】
容器１０が不正に開封されることを防ぐ場合には、図６に示すように、一対の係止片３５，３５のうち一方から他方にかけて粘着テープＡＴを貼着する。この際、係止片３５の破断線３６は、粘着テープＡＴによって覆わないようにする。また、第１天板部１５の先端１５ａと第２天板部１６の先端１６ａとは、粘着テープＡＴによって覆い隠される。
【００４１】
粘着テープＡＴで封緘している容器１０を開封する場合、一方の係止片３５の突部３８を把持する。ついで、突部３８の突出方向と反対側に向けて係止片３５を引っ張ることで、破断線３６に沿って係止片３５を底板１２から破断する。ついで、図７に示すように、破断した係止片３５を持って他方の係止片３５に向けて引っ張ることで、天板１４から粘着テープＡＴを剥離する。その後、他方の係止片３５も破断線３６に沿って底板１２から破断する。これにより、係止片３５と係止溝４０との係止が解除される。
【００４２】
粘着テープＡＴで封緘していない容器１０を開封する場合、破断線３６に沿って係止片３５を外向きに展開することで、係止片３５と係止溝４０との係止を解除するだけでよい。但し、破断線３６に沿って底板１２から係止片３５を破断してもよい。
【００４３】
ついで、第１天板部１５と第２天板部１６を外向きに展開することで、切欠溝４２，４２の噛み合わせを解除して、天板１４を開封する。そして、底板１２上に配置された物品を取り出す。又は、縁板３０，３３間の隙間を広げて、その開口部分から容器１０内の物品を取り出す。
【００４４】
このように、本実施形態の容器１０には、底板１２と第１天板部１５との間の第１折曲線２１の両側に第４折曲線２４，２４が形成され、底板１２と第２天板部１６との間の第２折曲線２２の両側に第６折曲線２６，２６が形成されている。そのため、底板１２と第１天板部１５との間隔と、底板１２と第２天板部１６との間隔とは、内部に収容する物品のサイズに応じて、フレキシブルに変位できる。また、これらの折曲線によって形成された第１厚さ調整部１８の幅は全て同一であるため、第１天板部１５と第２天板部１６の重ね代は、底板１２に対する第１天板部１５と第２天板部１６の間隔が物品に応じて変位しても、変わることはない。
【００４５】
しかも、第５折曲線２５と第７折曲線２７によって形成された膨張規制部２０により、底板１２と天板１４とは近接する方向の弾性力を備えている。そのため、この容器１０では、緩衝材等の詰め物を用いることなく、異なるサイズの物品を安定状態で収容できる。よって、この容器１０は、様々なサイズの商品を取り扱っている通信販売会社の使用に好適である。
【００４６】
また、容器１０は、係止片３５を一対の切欠部４１，４１からなる係止溝４０に係止することで、封緘状態が保持されるため、加工費が嵩む貼付加工は不要であるうえ、材料費が嵩むつけ代の増設は不要である。しかも、この容器１０は、底板１２に係止片３５が形成され、第１天板部１５と第２天板部１６に１個の係止片３５を係止する係止溝４０が形成されているため、封緘する際の作業性を向上できる。特に、大きな係止片３５と係止溝４０を形成できるため、封緘状態を維持する係止力も大きくすることが可能である。
【００４７】
また、係止片３５は、容器１０の両端にそれぞれ形成され、粘着テープの幅よりも大きく形成されている。よって、係止片３５を係止溝４０に係止することで、内部に収容した物品が脱落することを防止できる。また、一対の係止片３５，３５のうち一方から他方にかけて粘着テープを張着することで、容器１０を簡単に開封できないように封緘できる。
【００４８】
しかも、係止片３５には横方向へ突出する突部３８が形成されている。よって、係止溝４０に対する係止片３５の係止力を大きくすることができる。また、開封する際には突部３８を持って係止片３５を破断することで、簡単に粘着テープを剥離できる。即ち、突部３８は、容器１０の封緘性を向上できるだけでなく、開封操作部として使用することで、容器１０の開封作業性も向上できる。
【００４９】
また、底板１２には底縁板３０が形成され、天板１４には底縁板３０に重畳配置される天縁板３３，３３が形成されているため、収容した物品を脱落させることなく、確実に封緘することができる。
【００５０】
なお、本発明の包装用容器１０、及び包装用容器１０のブランク１は、前記実施形態の構成に限定されず、種々の変更が可能である。
【００５１】
例えば、図１０に示すように、係止片３５と係止溝４０とは、容器１０の対向する一対の端縁のうち一方だけに形成してもよい。また、突部３８は、第２天板部１６の方へ突出するように形成してもよいし、第１天板部１５と第２天板部１６の両方へ突出するように形成してもよい。また、係止片３５の幅は希望に応じて変更が可能であるうえ、突部３８は形成しない構成としてもよい。また、係止片３５と係止溝４０とは、一方の端縁に２以上形成してもよい。また、底縁板３０と天縁板３３とは形成しない構成としてもよい。
【００５２】
また、第１天板部１５の第１厚さ調整部１８の幅と、第２天板部１６の第１厚さ調整部１８の幅とが異なるように、第４折曲線２４から第１折曲線２１までの間隔ｉ１，ｉ２と、第６折曲線２６から第２折曲線２２までの間隔ｉ３，ｉ４とを異なるようにしてもよい。勿論、間隔ｉ１とｉ２を異なるようにし、間隔ｉ３とｉ４を異なるようにしてもよい。
【００５３】
そして、前記実施形態の包装用容器１０（ブランク１）は、紙製の段ボールシートを打ち抜いて形成したが、樹脂製の段ボールシートを打ち抜いて形成してもよい。また、包装用容器１０（ブランク１）は、段ボールシートに限られず、単一の厚紙や樹脂シートにより形成してもよい。
【符号の説明】
【００５４】
１…ブランク
１０…容器
１２…底板
１４…天板
１５…第１天板部
１５ａ…先端
１６…第２天板部
１６ａ…先端
１８…第１厚さ調整部
１９…第２厚さ調整部
２０…膨張規制部
２１…第１折曲線
２２…第２折曲線
２３…第３折曲線
２４…第４折曲線
２５…第５折曲線
２６…第６折曲線
２７…第７折曲線
２９…第８折曲線
３０…底縁板
３２…第９折曲線
３３…天縁板
３５…係止片
３６…破断線
３６ａ…第１切断線
３６ｂ…第２切断線
３７…折曲線
３８…突部
４０…係止溝
４１…切欠部
４２…切欠溝
ＡＴ…粘着テープ
【図１Ａ】
2018027803.tif 000003
【図１Ｂ】
2018027803.tif 000004
【図２Ａ】
2018027803.tif 000005
【図２Ｂ】
2018027803.tif 000006
【図２Ｃ】
2018027803.tif 000007
【図２Ｄ】
2018027803.tif 000008
【図２Ｅ】
2018027803.tif 000009
【図３Ａ】
2018027803.tif 000010
【図３Ｂ】
2018027803.tif 000011
【図４Ａ】
2018027803.tif 000012
【図４Ｂ】
2018027803.tif 000013
【図４Ｃ】
2018027803.tif 000014
【図４Ｄ】
2018027803.tif 000015
【図５Ａ】
2018027803.tif 000016
【図５Ｂ】
2018027803.tif 000017
【図６】
2018027803.tif 000018
【図７】
2018027803.tif 000019
【図８Ａ】
2018027803.tif 000020
【図８Ｂ】
2018027803.tif 000021
【図９Ａ】
2018027803.tif 000022
【図９Ｂ】
2018027803.tif 000023
【図１０】
2018027803.tif 000024